(57)【要約】【課題】  建造物の上部を通過する風の風力に影響されることなく、雪が、本体部における傾斜パネル面に付着し難い雪庇防止部材を提供できるようにした。【解決手段】  雪庇防止部材１を断面略直角三角形状に形成し、同雪庇防止部材１における垂直パネル２と、同垂直パネル２の上端から建造物の内方に向かって下向きに傾斜する傾斜パネル４のそれぞれを、通孔３、５を有するパネル部材で構成する。  これにより、垂直パネル２に当たる風の一部が、この風内に巻き込んだ雪とともに、垂直パネル２および傾斜パネル４に有する通孔３、５を通過して雪庇防止部材１の本体部内を通り抜けることができるので、垂直パネル２面への雪の付着を小にできる。【選択図】  図１
2008156981.tif 000002
【特許請求の範囲】
【請求項１】
建造物の外縁上部に設置して雪庇の生成を防止する断面略直角三角形状の雪庇防止部材であって、同雪庇防止部材における前記外縁上部側に位置する垂直パネルと、同垂直パネルの上端から建造物の内方に向かって下向きに傾斜する傾斜パネルのそれぞれを、通風性を有するパネル部材で構成してなる雪庇防止部材。
【請求項２】
前記傾斜パネルの上端部を前記垂直パネルに沿って垂直に立ち上げてなる請求項１に記載の雪庇防止部材。
【請求項３】
雪庇防止部材における左右方向の小口開口部に装着する小口パネルを、通風性を有するパネル部材で構成してなる請求項１に記載の雪庇防止部材。
【請求項４】
前記パネル部材を、パネルの表裏両面に貫通する通孔が多数配設されてなるパンチングメタル材で構成してなる請求項１乃至請求項３に記載の雪庇防止部材。
【発明の詳細な説明】
【技術分野】
【０００１】
本発明は、建造物の外縁上部に設置して雪庇の生成を防止する雪庇防止部材に関し、より詳しくは、本体部が断面略直角三角形状に形成されてなる雪庇防止部材の前記本体部を構成するパネル部材に関する。
【背景技術】
【０００２】
従来、寒冷地では建造物の外縁上部に雪庇防止部材を設置していて、雪降りの際や建造物の上部に降り積もった雪が、この建造物の上部を通過する風によって吹き飛ばされて、この雪を巻き込んだ風が建造物の外縁上部を通過する際に生じる建造物の外壁面に沿って回転する巻き込み風により、風の中の雪が建造物の外縁上部に付着し成長して生じる雪庇の生成を、この雪庇防止部材によって防止している（例えば、特許文献１参照）。
【０００３】
しかしながら吹く風の風力によっては、風とともに飛ぶ雪が、雪庇防止部材における断面略直角三角形状に形成する本体部の傾斜パネル面を風に乗って越えることができないでこの傾斜パネル面に付着したり、また、傾斜パネル面に強く衝突してこの傾斜パネル面に付着する恐れがあった。
【０００４】
したがって、上述するように本体部の傾斜パネル面に雪が付着した場合は、最初に付着した雪に次から次へと新たな雪が付着し、やがてこの雪が雪庇防止部材の上端よりも高く積もってしまい、雪庇防止部材の上端部に雪庇を生じさせる恐れがあった。
【０００５】
【特許文献１】特開平７−１６６６６２号公報（第１〜５頁、図１〜３）
【発明の開示】
【発明が解決しようとする課題】
【０００６】
本発明は、建造物の上部を通過する風の風力に影響されることなく、雪が、本体部における傾斜パネル面に付着する割合を小にできる雪庇防止部材を提供できるようにした。
【課題を解決するための手段】
【０００７】
上述した課題を解決するために、本発明に係る雪庇防止部材は、建造物の外縁上部に設置して雪庇の生成を防止する断面略直角三角形状の雪庇防止部材であって、同雪庇防止部材における前記外縁部側に位置する垂直パネルと、同垂直パネルの上端から建造物の内方に向かって下向きに傾斜する傾斜パネルのそれぞれを、通風性を有するパネル部材で構成したものとしてある。
また、前記傾斜パネルの上端部を前記垂直パネルに沿って垂直に立ち上げた構成のものとしてある。
【０００８】
さらに雪庇防止部材における左右方向の小口開口部に装着する小口パネルを、通風性を有するパネル部材で構成したものとしてある。
【０００９】
また、前記垂直パネル、傾斜パネル、小口パネルを、パネルの表裏両面に貫通する通孔が多数配設されてなるパンチングメタル材で構成したものとしてある。
【発明の効果】
【００１０】
本発明の雪庇防止部材によれば、雪庇防止部材の本体部における少なくとも垂直パネルと傾斜パネルを、通孔が多数配設されてなるパンチングメタル材で構成しているので、垂直パネルに当たる建造物の上部を通過する風の一部が、これら垂直パネルおよび傾斜パネルのパンチングメタル材の通孔を通過して雪庇防止部材の本体部内を通り抜けることができる。
【００１１】
したがって、垂直パネルに当たる建造物の上部を通過する風の一部が雪庇防止部材の本体部内を通り抜けることができるようにしているので、この風に、雪降りの際や建造物の上部に降り積もった雪が巻き込まれた場合であっても、垂直パネルに当たる風の一部が、この風内に巻き込んだ雪とともに、垂直パネルおよび傾斜パネルのパンチングメタル材の通孔を通過して雪庇防止部材の本体部内を通り抜けることができる。
【００１２】
これにより、従来、本体部の傾斜パネル面を風に乗って越えることができなかった雪や、傾斜パネル面に強く衝突してこの傾斜パネル面に付着する恐れのある雪が、本体部（垂直パネルおよび傾斜パネル）を構成するパンチングメタル材の通孔を通過して雪庇防止部材の本体部内を通り抜けることができるので、雪が、本体部における傾斜パネル面へ付着し難くなる。
【００１３】
そして、雪庇防止部材の本体部を、通孔が多数配設されてなるパンチングメタル材で構成することにより、太陽が照る晴れの天候になった場合、太陽光がこの本体部内にパンチングメタル材の通孔から入るので、風とともに本体部内を通過できずに残留する雪も、この太陽光によって溶かすことができる。
【００１４】
また、雪庇防止部材の本体部における少なくとも垂直パネルと傾斜パネルを、通孔が多数配設されてなるパンチングメタル材で構成しているので、雪庇防止部材を軽量化することができ、雪庇防止部材を設置する建造物に掛かる重量負担も小にできる。
【００１５】
さらに、雪庇防止部材を軽量化できるため、雪庇防止部材を車輌で運搬する際もより多くの雪庇防止部材を運搬でき、運搬効率の向上を期すことができる。
【００１６】
そして、雪庇防止部材を設置する箇所が建造物の外縁上部であるため、足を踏み外せば転落する危険があるこの雪庇防止部材の設置作業が、雪庇防止部材の軽量化によって雪庇防止部の配置調整を容易にでき、配置調整作業における安全性の向上を期すことができる。
【発明を実施するための最良の形態】
【００１７】
以下、本発明の雪庇防止部材を添付図面に基づいて説明する。
雪庇防止部材１は、本体部の垂直パネル２および傾斜パネル４を、通孔３、５が多数配設されてなるパンチングメタル材で構成してある。
【００１８】
また、図５に示す雪庇防止部材１は、図１に示す雪庇防止部材１の小口開口部に、多数の通孔１０を配設する小口パネル９を装着するものである。
【００１９】
また、図２に示すように、垂直パネル２および傾斜パネル４からなる本体部内は空間８となっている。
【００２０】
そして、雪１１を巻き込んでいる風１２が、雪庇防止部材１の本体部における傾斜パネル４面に吹き付けた場合は、図３、図４に示すように機能する。
【００２１】
図３は、風１２の風力が弱い場合の雪庇防止部材１における風１２の流れを示していて、この場合は、風１２の吹き付けによる傾斜パネル４面に生じる空気のクッションが小なので、傾斜パネル４面に当たる雪１１を巻き込んでいる風１２の殆どが雪１１とともに雪庇防止部材１の本体部における傾斜パネル４の通孔５を通過し、本体部内の空間８、垂直パネル２の通孔３を通過して、そのまま建造物の外方へ通過する。
【００２２】
したがって、風１２の風力が弱く、雪１１が風１２に乗って傾斜パネル４を越えられなかった場合であっても、この雪１１が傾斜パネル４面に付着する割合が小になる。
【００２３】
図４は、風１２の風力が強い場合の雪庇防止部材１における風１２の流れを示していて、この場合は、風１２の吹き付けによる傾斜パネル４面に生じる空気のクッションが大になるので、前述する風１２の風力が弱い場合と逆に、傾斜パネル４面に当たる雪１１を巻き込んでいる風１２の殆どが雪１１とともに雪庇防止部材１の本体部における傾斜パネル４面に沿ってこの傾斜パネル４面を上方に流れ、傾斜パネル４の上端から建造物の外方へ吹き抜ける。
【００２４】
また、傾斜パネル４面に生じる空気のクッションに抗して傾斜パネル４の通孔５を通過する雪１１、風１２は、本体部内の空間８、垂直パネル２の通孔３を通過して、そのまま建造物の外方へ通過する。
【００２５】
そして、垂直パネル２、傾斜パネル４における通孔３、５が占める比率は、垂直パネルが３０〜５５％程度、傾斜パネルが２５〜５０％程度となるようにするのが望ましく、これら範囲の下限未満の開口率であると、本発明に係る部材の通風性が十分に担保されず、上限を超える開口率であると、部材全体の剛性が低下するおそれがある。
【００２６】
また、小口パネル９は風が直接吹き付けることは少ないが、この小口パネル９における通孔１０が占める比率も、１０〜３５％程度が望ましく、この開口率の範囲の設定理由も上述した垂直パネル、傾斜パネルにおける開口率範囲の設定理由と同様である。
【００２７】
通孔の開口形状においては、実施例に示す図では円形としているが、例えば長円形や楕円形等の他の開口形状にする場合もある。
【００２８】
また、垂直パネル２、傾斜パネル４、小口パネル９の表面は、撥水性が大のフッソ加工等を実施する場合がある。
【００２９】
実施例の図中の符号６は、垂直パネル２を折曲形成してなる底部であり、また符号７は、傾斜パネル４、小口パネル９を固定している螺子である。
【図面の簡単な説明】
【００３０】
【図１】本発明に係る雪庇防止部材の一例を示す斜視図。
【図２】図１に示す雪庇防止部材の側面図。
【図３】風の流れの一例を示す図。
【図４】風の流れの一例を示す図。
【図５】小口パネルを装着した雪庇防止部材を示す斜視図。
【符号の説明】
【００３１】
１  雪庇防止部材
２  垂直パネル
３  通孔
４  傾斜パネル
４ａ  垂直部
５  通孔
６  底部
７  固定螺子
８  空間
９  小口パネル
１０  通孔
１１  雪
１２  風
【図１】
2008156981.tif 000003
【図２】
2008156981.tif 000004
【図３】
2008156981.tif 000005
【図４】
2008156981.tif 000006
【図５】
2008156981.tif 000007